(57)【要約】【課題】球状カプセルよりも径の小さいゴルフボール等の球状商品を販売することができる自動販売機を提供する。【解決手段】球状カプセルを収納可能なボックス本体と、ボックス本体の底部のターレット３を回転操作することにより、ターレット３の商品保持ポケット５を商品排出孔に一致させて球状カプセルを外部に排出して販売することが可能とされたものにおいて、球状カプセルに代えて球状カプセルよりも径の小さい球状商品を販売可能とした自動販売機であって、ターレット３の商品保持ポケット５に対して突出及び退避可能とされる可動パーツ１１に、球状カプセルよりも径の小さい球状商品に対応して、商品保持ポケット５の開口面積をさらに調整するための調整パーツ２０が設けられ、商品保持ポケット５の周りに案内パーツ２２が設けられている。【選択図】図５
2009193496.tif 000002
【特許請求の範囲】
【請求項１】
商品グッズが入った球状カプセルを収納可能なボックス本体と、該ボックス本体の底部に回転自在に設けられて該ボックス本体内の球状カプセルをその上面に載置するターレットとを具備し、該ターレットを回転操作することにより、該ターレットに形成された複数の商品保持ポケットの一つをボックス本体の底部に形成された商品排出孔に一致させた場合に、前記商品保持ポケット内に落とし込まれていた球状カプセルを商品排出孔を通じて外部に排出して販売することが可能とされたものにおいて、前記球状カプセルに代えて該球状カプセルよりも径の小さい球状商品を販売可能とした自動販売機であって、
前記ターレットに、前記商品保持ポケットに対して突出及び退避可能とされる可動パーツによって、予め設定された前記球状カプセルの径に応じて商品保持ポケットの開口面積を調整する開口部調整手段が設けられるとともに、前記可動パーツに、前記球状カプセルよりも径の小さい前記球状商品に対応して、前記商品保持ポケットの開口面積をさらに調整するための調整パーツが設けられていることを特徴とする自動販売機。
【請求項２】
前記ターレットの商品保持ポケットの周囲には、該商品保持ポケット内に球状商品を案内するとともに、規定数以上の球状商品が商品保持ポケットに落下することを規制するための案内パーツが設けられていることを特徴とする請求項１記載の自動販売機。
【請求項３】
前記球状商品がゴルフボールであり、前記調整パーツは、前記ターレットの商品保持ポケット内にゴルフボールを１個収納させる大きさに形成されていることを特徴とする請求項１又は２に記載の自動販売機。
【請求項４】
前記球状商品がゴルフボールであり、前記調整パーツは、前記ターレットの商品保持ポケット内にゴルフボールを２個収納させる大きさに形成されていることを特徴とする請求項１又は２に記載の自動販売機。
【請求項５】
前記ターレットの上方には、ボックス本体内の商品収容部の一部範囲に突出しかつ傾斜するように配置されて、その上面でボックス本体内に収納された球状商品の一部の重量を支持する仕切板が設けられていることを特徴とする請求項１から４のいずれか１項に記載の自動販売機。
【請求項６】
前記ターレットの近接位置でかつ上方には、該ターレットの商品保持ポケットの中に、規定数とされる１個又は２個の球状商品が入っている場合に、その上に重なっている規定数以上の球状商品を排除する商品排出口ばねが設けられていることを特徴とする請求項１から５のいずれか１項に記載の自動販売機。
【発明の詳細な説明】
【技術分野】
【０００１】
本発明は、ゴルフボール等の球状商品を簡易に販売するための自動販売機に関する。
【背景技術】
【０００２】
従来、球状商品の自動販売機として、特許文献１及び２に示される技術が知られている。これら特許文献に示される自動販売機は、商品グッズが入れられた球状カプセルを収納するボックス本体と、該ボックス本体の底部に回転自在に設けられて該ボックス本体内の球状カプセルをその上面に載置するターレットとを有するものであって、ターレットには、球状カプセルを収納するための複数の商品保持ポケットが設けられ、ボックス本体の底部には、一つの商品排出孔が設けられている。そして、上記のような自動販売機では、ターレットの商品保持ポケットと、ボックス本体底部の商品排出孔との位置がずれて不一致である場合には、ターレットの商品保持ポケット内には（排出されるべき）球状カプセルが落下して収納・保持された状態となるが、外部に排出されることはなく、また、ターレットの商品保持ポケットの一つと、ボックス本体底部の商品排出孔との位置が一致した場合には、商品保持ポケット内に一時的に収納・保持された当該球状カプセルが、商品排出孔を通じて外部に排出され、販売されるようになっている。
【０００３】
なお、上記の自動販売機では、ターレットの商品保持ポケットと、ボックス本体底部の商品排出孔と一致させる操作、又は不一致とするための操作を、操作ハンドルを廻して該ターレットを回転させることにより行っているが、このような操作は、顧客が球状カプセルの商品に対応した料金を投入した際に可能となる。すなわち、顧客が商品に対応した料金を投入することで、操作ハンドルによる商品の払い出し操作が可能となる。
【特許文献１】特開２００６‐１７８６２８号公報
【特許文献２】特開２００７‐３４６０３号公報
【発明の開示】
【発明が解決しようとする課題】
【０００４】
ところで、上記のような自動販売機は、予め径が設定された球状カプセルに収納された商品グッズを販売するように構成されている。球状カプセルには、例えば、大型の球状カプセルと、小型の球状カプセルといった二種類のサイズがあり、特に小型の球状カプセルを使用する場合には、ターレットに形成された商品保持ポケットの開口面積を調整する必要がある。このために、ターレットには、商品保持ポケットに対して突出及び退避自在とされる可動パーツを有する開口部調整手段が設けられており、この開口部調整手段による可動パーツの位置設定によって、球状カプセルの径に応じて商品保持ポケットの開口面積が調整可能となっている。
【０００５】
しかしながら、上記のような自動販売機は、球状カプセルを収納することを前提に設計されたものであり、この球状カプセルの径以外の規定外寸法の球体を収納して販売することはできない。
【０００６】
その球状商品の一つとしてゴルフボールが考えられる。例えば、ゴルフ場において、プレー中にゴルフボールを買い足したい、又はプレーの前日夜遅く等にボール不足に気付いて、急にボールを買う必要が生じたときなど、手軽にボールを買える設備があると良い。このような場合、上述した自動販売機は構造も簡単でかつ省スペースであるために、これを利用し、コースの売店、ゴルフショップ等に置いて、ボールの販売ができると良い。しかしながら、ゴルフボールをそのまま上述した自動販売機に収納しても適切に販売することはできない。
【０００７】
この発明は、上述した事情に鑑みてなされたものであって、球状カプセルよりも径の小さいゴルフボール等の球状商品も販売することができる自動販売機の提供を目的とする。
【課題を解決するための手段】
【０００８】
上記課題を解決するために、この発明は以下の手段を提案している。すなわち、本発明の自動販売機は、商品グッズが入った球状カプセルを収納可能なボックス本体と、該ボックス本体の底部に回転自在に設けられて該ボックス本体内の球状カプセルをその上面に載置するターレットとを具備し、該ターレットを回転操作することにより、該ターレットに形成された複数の商品保持ポケットの一つをボックス本体の底部に形成された商品排出孔に一致させた場合に、前記商品保持ポケット内に落とし込まれていた球状カプセルを商品排出孔を通じて外部に排出して販売することが可能とされたものにおいて、前記球状カプセルに代えて該球状カプセルよりも径の小さい球状商品を販売可能とした自動販売機であって、前記ターレットに、前記商品保持ポケットに対して突出及び退避可能とされる可動パーツによって、予め設定された前記球状カプセルの径に応じて商品保持ポケットの開口面積を調整する開口部調整手段が設けられるとともに、前記可動パーツに、前記球状カプセルよりも径の小さい前記球状商品に対応して、前記商品保持ポケットの開口面積をさらに調整するための調整パーツが設けられていることを特徴とする。
【０００９】
上記のように構成された自動販売機によれば、開口部調整手段の可動パーツに、球状カプセルよりも径の小さい球状商品に対応して、商品保持ポケットの開口面積をさらに調整するための調整パーツが設けられていることから、この調整パーツによる商品保持ポケットの開口面積の調整によって、規定外とされるゴルフボール等の球状商品も商品保持ポケット内に保持して、これら商品保持ポケット及び商品排出孔を通じて販売することが可能になる。
【００１０】
また、本発明の自動販売機において、前記ターレットの商品保持ポケットの周囲には、該商品保持ポケット内に球状商品を案内するとともに、規定数以上の球状商品が商品保持ポケットに落下することを規制するための案内パーツが設けられていることを特徴とする。
【００１１】
上記のように構成された自動販売機によれば、ターレットの商品保持ポケットの周囲に案内パーツを取り付けた場合に、ターレット上に載置された球状商品が商品保持ポケット内に案内されるとともに、球状商品が連続して該商品保持ポケットに落下することが規制される。これによってターレットの商品保持ポケット内に規定数の球状商品を確実に保持することができ、該商品保持ポケット及び商品排出孔を通じた球状商品の排出を円滑に行うことができる。
【００１２】
また、本発明の自動販売機において、前記球状商品がゴルフボールであり、前記調整パーツは、前記ターレットの商品保持ポケット内にゴルフボールを１個収納させる大きさに形成されていることを特徴とする。
【００１３】
上記のように構成された自動販売機によれば、開口部調整手段の可動パーツに取り付けた調整パーツによって、ターレットの商品保持ポケット内に球状商品となるゴルフボールを１個収納させることができるので、１回のターレットの回転操作によって１個のゴルフボールを販売することができる。
【００１４】
また、本発明の自動販売機において、前記球状商品がゴルフボールであり、前記調整パーツは、前記ターレットの商品保持ポケット内にゴルフボールを２個収納させる大きさに形成されていることを特徴とする。
【００１５】
上記のように構成された自動販売機によれば、開口部調整手段の可動パーツに取り付ける調整パーツによって、ターレットの商品保持ポケット内に球状商品となるゴルフボールを２個収納させることができるので、１回のターレットの回転操作によって２個のゴルフボールを同時に販売することができる。
【００１６】
また、本発明の自動販売機において、前記ターレットの上方には、ボックス本体内の商品収容部の一部範囲に突出しかつ傾斜するように配置されて、その上面でボックス本体内に収納された球状商品の一部の重量を支持する仕切板が設けられていることを特徴とする。
【００１７】
ゴルフボールは球状カプセルと比べる重いため、商品収容部に多数収容すると、ターレット上に過大な重量がかかり、商品の詰まり等が生じ易い。この点、上記のように構成された自動販売機によれば、ボックス本体内の商品収容部の一部範囲に突出しかつ傾斜するように配置された仕切板の上面によって、ボックス本体内に収納された商品の一部の重量を支持するようにしたので、ターレットに対して、ボックス本体内の商品の全重量が掛かることがなく、該ターレットの回転操作に支障が生じることがない。この仕切板の下方の球状商品が販売により減少することに合わせて、その上方の球状商品が仕切板の傾斜に沿って転がり落ちるので、ターレット上には、常に適切な量の球状商品が乗ることになる。これによってボックス本体内の商品を、商品保持ポケット及び商品排出孔を通じて円滑に排出することができる。
【００１８】
また、本発明の自動販売機において、前記ターレットの近接位置でかつ上方には、該ターレットの商品保持ポケットの中に、規定数とされる１個又は２個の球状商品が入っている場合に、その上に重なっている規定数以上の球状商品を排除する商品排出口ばねが設けられていることを特徴とする。
【００１９】
上記のように構成された自動販売機によれば、ターレットの近接位置でかつ上方に設けた商品排出口ばねによって、該ターレットの商品保持ポケット内に、規定数とされる１個又は２個の球状商品が入っている場合に、その上に重なっている規定数以上の商品を排除するようにしたので、該ターレットの商品保持ポケット内に確実に規定数の球状商品を保持して排出し、販売することができる。
【発明の効果】
【００２０】
本発明の自動販売機では、開口部調整手段及び該開口部調整手段に設けた調整パーツによって、径が規定された球状カプセル（小型及び大型の球状カプセル）に代えて、規定外とされるゴルフボール等の球状商品も販売することができ、ゴルフ場やゴルフショップ等に設置しておくことにより、プレー中や急にボールが必要になったとき等に手軽にボールを買うことを可能にすることができる。
【発明を実施するための最良の形態】
【００２１】
以下、図１から図１０を参照して本発明の自動販売機の一実施形態について説明する。図１は本実施形態の自動販売機の概観を示すものであって、本来、商品グッズが入った球状カプセルを販売するためのものである。まず、この球状カプセルの自動販売機としての基本構成を図１から図４により説明すると、球状カプセルＣを収納可能な商品収容部１を有するボックス本体２と、該ボックス本体２内における商品収容部１の底部１Ａに回転可能に設けられて該ボックス本体２内の球状カプセルをその上面に載置するターレット３と、操作ハンドル４の回転操作により該ターレット３を所定角度回転させる駆動機構（図示略）とを主な構成要素とする。なお、本実施形態の自動販売機１００は、商品収容部１が上下２段に設けられたタイプである。
【００２２】
ターレット３は、図２及び図３に示すように、垂直軸３Ａを中心として水平面内で回転するようにボックス本体２に設けられているものであって、該ターレット３には、その内部に落下した球状カプセルＣを一時的に保持する例えば四つの商品保持ポケット５が周方向に一定の間隔をおいて形成されている。また、商品収容部１の底部１Ａとなるボックス本体２には、商品保持ポケット５とほぼ同径の商品排出孔６が商品保持ポケット５の移動軌跡上に一つ形成されている。
【００２３】
これらターレット３の商品保持ポケット５と、ボックス本体２の商品排出孔６とはターレット３又は商品収容部１の底部１Ａをそれぞれ上下に貫通するように設けられたものであって、商品保持ポケット５と商品排出孔６とが周方向にずれている状態、つまり上下方向に一致していない状態のときには、ターレット３の商品保持ポケット５の下方が商品収容部１の底部１Ａにより閉塞された状態となり、該商品保持ポケット５内に落下した（排出されるべき）球状カプセルＣが一時的に収納・保持された状態となる。また、図３の破線で示すように、商品保持ポケット５の一つと、ボックス本体１の底部の商品排出孔６とが上下方向に一致した場合には、商品保持ポケット５内に一時的に収納・保持されていた当該球状カプセルＣが、商品排出孔６を通じて外部に排出されることになる。
【００２４】
なお、上記の自動販売機では、ターレット３の商品保持ポケット５と、商品収容部１の底部Ａ１の商品排出孔６とを一致させる操作、又は不一致状態とするための操作を、駆動機構（図示略）の操作ハンドル４（図１参照）を廻してターレット３を所定角度回転させることにより行うようになっている。このような操作は、顧客が商品に対応した料金を投入した際に可能となる。すなわち、顧客が商品に対応した料金を投入することで、操作ハンドル４を回転操作して商品を払い出すことが可能となる。
【００２５】
また、ターレット３には、球状カプセルＣの径に対応して商品保持ポケット５の開口面積を調整するための開口部調整手段１０が設けられている。この開口部調整手段１０は、図４（Ｂ）に示すように、商品保持ポケット５に対して突出及び退避可能とされる可動パーツ１１と、該可動パーツ１１を操作する操作レバー１２とを有する。可動パーツ１１は、ターレット３の垂直軸３Ａを中心としてターレット３に対して相対回転自在に設けられるものであって、図４（Ａ）に示すように操作レバー１２が矢印（イ）側の位置にある場合には、可動パーツ１１がターレット３内に隠れた退避位置となって商品保持ポケット５の開口面積が最大となる。また、図４（Ｂ）に示すように操作レバー１２が矢印（ロ）側の位置にある場合には、可動パーツ１１がターレット３内に突出した突出位置となって商品保持ポケット５の開口面積が縮小される。
【００２６】
なお、可動パーツ１１を退避位置とした図４（Ａ）に示す場合には、ボックス本体２の商品収容部１内に大型の球状カプセルＣ（直径：９０ｍｍ）が収容され、かつ商品保持ポケット５内にこの大型球状カプセルＣが１個収納、保持され、落下させることができるようになっている。また、可動パーツ１１を突出位置とした図４（Ｂ）に示す場合には、ボックス本体２の商品収容部１内に小型の球状カプセルＣ（直径：６０ｍｍ）が収容され、かつ商品保持ポケット５内にはこの小型の球状カプセルＣが１個収納、保持され、落下させることができるようになっている。
【００２７】
そして、このように開口部調整手段１０にて、球状カプセルＣの径に応じて商品保持ポケット５の開口面積が調整されることにより、商品保持ポケット５及び商品排出孔６を通じて、１回の操作につき、１個の大型球状カプセル又は小型球状カプセルが排出されるようになっている。
【００２８】
また、ターレット３の中央部には、図２に示すように複数の撹拌ばね１３が設けられている。これら撹拌ばね１３は、ターレット３の中心から斜め上方に向けて放射状に設けられたものであって、ターレット３の回転に伴い該ターレット３上に載置される商品が、偏らず、全体が均一となるように撹拌する。
【００２９】
また、ボックス本体２内には、図２及び図４に示すように商品排出口ばねとしてコイルスプリング１４が設けられている。このコイルスプリング１４は、ターレット３の直上であり、かつ商品収容部１の底部Ａ１に形成された商品排出孔６の上方位置に水平に配置され、ターレット３上に球状カプセルＣが重なるように配置される際に、上方の球状カプセルＣを排除して、商品保持ポケット５への連続した商品落下を防止するようになっている。
【００３０】
このような基本構成の自動販売機において、球状カプセルＣに代えて球状商品としてゴルフボールＧを販売する場合について説明する。この場合、後述する調整パーツ及び案内パーツを使い分けることにより、ゴルフボールＧを１個ずつ販売できるようにするものと、一度に２個ずつ販売できるようにするものとのいずれかを適用することができるが、これらパーツは形状が若干異なるだけであるので、以下ではその両方について説明していく。図５及び図６に１個販売用の構成、図７及び図８に２個販売用の構成を示している。図９は１個用、２個用に共通の構成である。
【００３１】
まず、ターレット３に取り付けられる調整パーツ２０・２１及び案内パーツ２２・２３について説明する。
これら調整パーツ２０・２１は、図５及び図７の分解図を参照して判るように、三日月状に形成されるものであって、開口部調整手段１０により商品保持ポケット５内に突出状態とされた可動パーツ１１上に取り付けられて、商品保持ポケット５の開口面積をさらに調整する役割がある。そして、調整パーツ２０・２１では、球状カプセルＣよりも径の小さいゴルフボールＧ（直径４３ｍｍ）を１個又は２個、商品保持ポケット５に収容するために２つのタイプが用意されている。具体的には、図６に示されるような、１個のゴルフボールＧを商品保持ポケット５に収容するための１個用調整パーツ２０と、図８に示されるような、２個のゴルフボールＧを商品保持ポケット５に収容するための２個用調整パーツ２１の２タイプである。そして、これらの１個用調整パーツ２０、２個用調整パーツ２１は、商品保持ポケット５内に１個又は２個ゴルフボールＧが適度な余裕を持って落下して一時的に収容保持できるようにそれぞれのサイズが予め設定されている。
【００３２】
案内パーツ２２・２３は、図５及び図７の分解図を参照して判るように、全体が円弧状に形成されるものであって、ターレット３の商品保持ポケット５の周囲に沿いかつ中心部側に取り付けられた場合に、商品排出口ばね１４とともに該商品保持ポケット５内にゴルフボールＧを案内し、また、該商品保持ポケット５内に規定数（１個又は２個）以上のゴルフボールＧが落下することを規制する。なお、これら案内パーツ２２・２３の中で、案内パーツ２２は、商品保持ポケット５内に１個のゴルフボールＧを収納する場合に取り付けられ、また、案内パーツ２３は、商品保持ポケット５内に２個のゴルフボールＧを収納する場合に取り付けられるものであり、それぞれ長さと厚さが異なっている。すなわち、１個用の案内パーツ２２は、短尺でかつ厚みを有する形状とされ、２個用の案内パーツ２３は、長尺でかつ薄厚に形成されているものであって、図６又は図８に示すように、その端部及び円弧面の内側でゴルフボールＧを商品保持ポケット５に案内する。
【００３３】
これら調整パーツ２０・２１及び案内パーツ２２・２３は、いずれも操作レバー１２を図４（Ｂ）に示す矢印（ロ）側にして、可動パーツ１１をターレット３内に突出させた位置とすることにより、商品保持ポケット５の開口面積を縮小させた状態で取り付けられ、ターレット３の商品保持ポケット５内に１個用又は２個用のいずれかが取り付けられる。
【００３４】
一方、ターレット３の上方に配置されている商品排出口ばね１５は、球状カプセルＣ用に設置されている長尺のコイルスプリング１４の中に、該コイルスプリング１４を補強するために弾性を有するスプリング補強棒１６が挿入された構成とされている。そして、この商品排出口ばね１５では、ターレット３の商品保持ポケット５内に既にゴルフボールＧが入っている場合に、重なるように配置される上方のゴルフボールＧを排除して、商品保持ポケット５への連続した商品落下を防止するようになっている。また、この商品排出口ばね１５では、コイルスプリング１４内に弾性を有するスプリング補強棒１６が挿通されているので、ゴルフボールＧの荷重に耐え得る強度を有しており、上方に重なるように配置されるゴルフボールＧの排除機能の低下を防止することができる。
【００３５】
また、ボックス本体２内でありかつターレット３の上方には、該ボックス本体２内の商品収容部１の一部範囲に突出しかつ傾斜する仕切板１７が設けられている。この仕切板１７は、図９に示すように、上端部がボックス本体２の内壁に固定され、下端部が該ボックス本体２の内壁に水平となるように固定されたストッパ１８に支持されることにより、商品収容部１内に下り勾配の傾斜状態に配置されているものであって、その下端部は商品収容部１の前壁１Ｂから離間しており、ボックス本体２内に収納されたゴルフボールＧの一部の重量を支持しつつ、下端部と前壁１Ｂとの間隙から下方に落下させるようになっている。
【００３６】
次に、ボックス本体２内にゴルフボールＧを収容して払い出す場合について説明する。
まず、ボックス本体２内にゴルフボールＧを収容して、１個のゴルフボールＧを販売する場合は、図５及び図６に示すように、ターレット３の商品保持ポケット５内に１個用調整パーツ２０及び案内パーツ２２を取り付ける。そして、ボックス本体２の商品収容部１内にゴルフボールＧを多数収納すると、ターレット３の商品保持ポケット５内に１個のゴルフボールＧのみが落下して保持される。
【００３７】
ゴルフボールＧを販売するときは、貨幣を投入して操作ハンドル４を回転操作することによりターレット３を所定角度回転すると、商品保持ポケット５と、下方の商品排出孔６とが上下に重なった位置関係となったときに、商品保持ポケット５内に一時的に保持された１個のゴルフボールＧを外部に排出し、販売することができる。
【００３８】
一方、一度に２個のゴルフボールＧを販売する場合は、図７及び図８に示されるように、ターレット３の商品保持ポケット５内に２個用調整パーツ２１及び案内パーツ２３を取り付けた状態とする。そして、ボックス本体２の商品収容部１内にゴルフボールＧを多数収納して、操作ハンドル４を回転操作することで、ターレット３の商品保持ポケット５内に２個のゴルフボールＧを落下、保持させることができる。その後、該商品保持ポケット５と、下方の商品排出孔６とが重なった位置関係となったときに、該商品保持ポケット５内に一時的に保持された２個のゴルフボールＧを外部に排出し、販売することができる。
【００３９】
以上詳細に説明したように本実施形態に示される自動販売機によれば、開口部調整手段１０の可動パーツ１１に、球状カプセルＣよりも径の小さいゴルフボールＧに対応して、商品保持ポケット５の開口面積をさらに調整するための調整パーツ２０・２１が設けられることから、この調整パーツ２０・２１による商品保持ポケット５の開口面積の調整によって、ゴルフボールＧを１個又は２個商品保持ポケット５内に保持し、これら商品保持ポケット５及び商品排出孔６を通じてゴルフボールＧも販売することができる。
【００４０】
この場合、ターレット３の商品保持ポケット５の周囲に設けた案内パーツ２２・２３によって、ターレット３上に載置されたゴルフボールＧを商品保持ポケット５内に案内するとともに、ゴルフボールＧが連続して該商品保持ポケット５に落下することを規制するので、該商品保持ポケット５内に１個又は２個の規定数のゴルフボールＧを確実に保持することができ、該商品保持ポケット５及び商品排出孔６を通じたゴルフボールＧの排出を円滑に行うことができる。
【００４１】
また、ボックス本体２内の商品収容部１の一部範囲に突出しかつ傾斜するように配置された仕切板１７の上面によって、ボックス本体２内に収納されたゴルフボールＧの一部の重量を支持するようにしたので、ターレット３に対して、ボックス本体２内のゴルフボールＧの全重量が掛かることがなく、該ターレット３の回転操作に支障が生じることがない。これによってボックス本体２内のゴルフボールＧを、商品保持ポケット５及び商品排出孔６を通じて円滑に排出することができる。
【００４２】
また、ターレット３の近接位置でかつ上方に設けた商品排出口ばね１５によって、該ターレット３の商品保持ポケット５内に、規定数とされる１個又は２個商品が入っている場合に、その上に重なっている規定数以上の商品を排除するようにしたので、該ターレット３の商品保持ポケット５内に確実に規定数の商品を保持した後、商品排出孔６を通じて排出し、販売することが可能となる。
【００４３】
なお、図１０に示すように、商品排出口ばね１５として球状カプセル用のコイルスプリング１４のみによって構成されている場合は、ゴルフボールＧを投入して回転操作すると、このゴルフボールＧの荷重によって撓みが生じることにより、商品保持ポケット５内に規定数（この場合２個）以上のゴルフボールＧが入り込んでしまうことがあるが、この実施形態の商品排出口ばね１５は、コイルスプリング１４の中にスプリング補強棒１６が挿入された構成とされているので、ゴルフボールＧの荷重が作用しても撓みが抑制され、規定数を超えるゴルフボールＧが商品保持ポケット５内に落下することを確実に排除することができる。
なお、ゴルフボールＧは表面が硬いので、商品排出口ばね１５や攪拌ばね１３によって擦られたとしても、磨り減ることはない。
【００４４】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４５】
【図１】本発明の一実施形態が適用される自動販売機の全体斜視図である。
【図２】図１の自動販売機におけるターレット付近を示す斜視図である。
【図３】図１の自動販売機において球状カプセルの排出状態を示すターレット付近を模式して示す斜視図である。
【図４】図１の自動販売機におけるターレットの上面図であり、（Ａ）は大型球状カプセル用で可動パーツが退避している状態、（Ｂ）は小型球状カプセル用に可動パーツを突出させた状態を示す。
【図５】本発明の一実施形態の自動販売機に組み込まれる１個用の各種パーツ類とターレットを示す分解図である。
【図６】図５の１個用の調整パーツ及び案内パーツを組み込んだ状態のターレットを示すもので、（Ａ）が上面図、（Ｂ）が側面図である。
【図７】本発明の一実施形態の自動販売機に組み込まれる２個用の各種パーツ類とターレットを示す分解図である。
【図８】図５の２個用の調整パーツ及び案内パーツを組み込んだ状態のターレットを示すもので、（Ａ）が上面図、（Ｂ）が側面図である。
【図９】仕切り版を組み込んだ状態を示す商品収容部の縦断面図である。
【図１０】商品排出口ばねをコイルスプリングのみから構成した場合の挙動を説明する上面図である。
【符号の説明】
【００４６】
１  商品収容部
２  ボックス本体
３  ターレット
５  商品保持ポケット
６  商品排出孔
１０  開口部調整手段
１１  可動パーツ
１４  コイルスプリング
１５  商品排出口ばね
１６  スプリング補強棒
１７  仕切板
２０  調整パーツ
２１  調整パーツ
２２  案内パーツ
２３  案内パーツ
Ｃ  球状カプセル
Ｇ  ゴルフボール（球状商品）
【図１】
2009193496.tif 000003
【図２】
2009193496.tif 000004
【図３】
2009193496.tif 000005
【図４】
2009193496.tif 000006
【図５】
2009193496.tif 000007
【図６】
2009193496.tif 000008
【図７】
2009193496.tif 000009
【図８】
2009193496.tif 000010
【図９】
2009193496.tif 000011
【図１０】
2009193496.tif 000012